(57)【要約】【課題】液滴を吐出して形成する膜パターンの膜厚均一性を向上させた液滴吐出ヘッドの駆動方法、液滴吐出装置、及び電気光学装置を提供する。【解決手段】ヘッド駆動回路は、ラッチ６２を介して下位選択データＳＩＬをラッチし、液滴を吐出するためのノズルに関するデータを記憶する。ヘッド駆動回路は、ステートカウンタ６３及びＤＵＴＹ制御信号生成回路６５を介してモード選択データＡＤ１〜ＡＤ３に基づく描画モードを判断し、描画モードが「ＤＵＴＹモード」であるとき、複数のノズル群のいずれか１つを選択するための出力タイミング制御信号をステートごとに生成する。ヘッド駆動回路は、パターンデータ合成回路６６を介して、液滴を吐出するためのノズルの各々に対し、対応するノズル群に規定されたステートで液滴を吐出させるための信号（出力制御信号ＰＩ）を生成する。【選択図】図１６
2008136928.tif 000002
【特許請求の範囲】
【請求項１】
所定の方向に配列された複数のノズルのうちから複数の駆動ノズルを選択して駆動させ
る液滴吐出ヘッドの駆動方法であって、
前記複数のノズルを予め定めた複数のブロックに分割し、
前記複数の駆動ノズルの各々を対応する前記ブロックごとに互いに異なるタイミングで
駆動すること、
を特徴とする液滴吐出ヘッドの駆動方法。
【請求項２】
請求項１に記載の液滴吐出ヘッドの駆動方法であって、
所定の吐出周波数ごとに異なる前記ブロックを駆動すること、
を特徴とする液滴吐出ヘッドの駆動方法。
【請求項３】
請求項１又は２に記載の液滴吐出ヘッドの駆動方法であって、
隣接するノズルの各々を異なる前記ブロックに分割すること、
を特徴とする液滴吐出ヘッドの駆動方法。
【請求項４】
請求項１〜３のいずれか１つに記載の液滴吐出ヘッドの駆動方法であって、
前記複数のノズルの各々に対し吐出重量に応じたランクを対応付け、
前記吐出重量を所定の重量に較正する駆動波形信号を前記ランクごとに生成し、
前記駆動ノズルの各々に前記ランクに対応する前記駆動波形信号を供給すること、
を特徴とする液滴吐出ヘッドの駆動方法。
【請求項５】
所定の方向に配列された複数のノズルのうちから複数の駆動ノズルを選択するノズル選
択データを記憶する記憶手段と、
前記複数のノズルを予め定めた複数のブロックに分割し、前記複数のブロックのいずれ
か１つを選択するブロック選択信号を液滴の吐出タイミングごとに生成する選択信号生成
手段と、
前記液滴の吐出タイミングごとに、前記ブロック選択信号により選択される前記ブロッ
ク内の前記ノズルであって、かつ、前記ノズル選択データにより選択される前記駆動ノズ
ルに対し前記液滴を吐出させるための駆動波形信号を出力する出力手段と、
を備えたことを特徴とする液滴吐出装置。
【請求項６】
請求項５に記載の液滴吐出装置であって、
前記選択信号生成手段は、
前記液滴の吐出タイミングで生成されるクロック信号の入力回数をカウントし、前記複
数のブロックの各々に予め前記入力回数を対応付け、前記液滴の吐出タイミングごとに、
前記複数のブロックのうちから前記入力回数に対応付けられたブロックを選択するための
前記ブロック選択信号を生成すること、
を特徴とする液滴吐出装置。
【請求項７】
請求項６に記載の液滴吐出装置であって、
前記記憶手段は、
前記ブロックの数量が異なる複数の描画モードのうちから所定の描画モードを指定する
モード選択データを記憶し、
前記選択信号生成手段は、
前記描画モードに対応する前記複数のブロックの各々に予め前記入力回数を対応付け、
前記液滴の吐出タイミングごとに、前記モード選択データにより指定される前記描画モー
ドに基づいて、前記複数のブロックのうちから前記入力回数に対応付けられたブロックを
選択するための前記ブロック選択信号を生成すること、
を特徴とする液滴吐出装置。
【請求項８】
請求項５〜７のいずれか１つに記載の液滴吐出装置であって、
前記選択信号生成手段は、
隣接するノズルの各々を異なる前記ブロックに分割すること、
を特徴とする液滴吐出装置。
【請求項９】
請求項５〜８のいずれか１つに記載の液滴吐出装置であって、
前記記憶手段は、
前記複数のノズルの各々に対し吐出重量に応じたランクを対応付けるための情報を記憶
し、
前記出力手段は、
前記吐出重量を所定の重量に較正する駆動波形信号を前記ランクごとに生成し、前記記
憶手段の記憶する前記情報に基づいて、前記駆動ノズルの各々に対し前記ランクに応じた
前記駆動波形信号を出力すること、
を特徴とする液滴吐出装置。
【請求項１０】
基板に吐出した液滴を乾燥させて形成した薄膜を有する電気光学装置であって、
前記薄膜は、
請求項５〜９のいずれか１つに記載の液滴吐出装置によって形成されたことを特徴とす
る電気光学装置。
【発明の詳細な説明】
【技術分野】
【０００１】
本発明は、液滴吐出ヘッドの駆動方法、液滴吐出装置、及び電気光学装置に関する。
【背景技術】
【０００２】
一般的に、液晶ディスプレイは、多数の画素を有したカラーフィルタ基板を搭載してい
る。カラーフィルタ基板の各画素は、光源からの光を受けて特定波長の光を透過させ、液
晶ディスプレイにフルカラーの画像を表示させる。カラーフィルタの製造工程では、生産
性の向上や生産コストの低減を図るため、液滴吐出ヘッドを利用したインクジェット法が
採用されている（例えば、特許文献１）。
【０００３】
液滴吐出ヘッドは、液状体を貯留する複数のキャビティと、該キャビティに連通して一
方向に配列された複数のノズルと、各キャビティ内の液状体を加圧する複数のアクチュエ
ータ（例えば、ピエゾ素子や抵抗加熱素子など）と、を有する。液滴吐出ヘッドは、描画
データに基づいて選択されたアクチュエータに共通する駆動波形信号を入力し、各アクチ
ュエータに対応するノズルから液状体の液滴を吐出させる。インクジェット法は、フィル
タ材料を液滴吐出ヘッドに供給し、フィルタ材料の液滴をカラーフィルタ基板に向けて吐
出させ、基板上に着弾した液滴を乾燥させることにより画素を形成させる。
【０００４】
インクジェット法は、描画対象の高精彩化にともなって、階調表現に優れた描画が望ま
れている。特許文献２は、インクの吐出量に対応した複数の駆動電圧波形を生成する共通
波形発生手段を設け、共通波形発生手段の生成した駆動電圧波形のいずれか１つを階調デ
ータ信号により選択させてアクチュエータに供給する。これによれば、異なる駆動波形信
号により液滴のサイズを変更させることができ、ノズルの内径やノズルの形成ピッチなど
に設計変更を加えることなく優れた階調表現が可能となる。
【特許文献１】特開平８−１４６２１４号公報
【特許文献２】特開平９−１１４５７号公報
【発明の開示】
【発明が解決しようとする課題】
【０００５】
上記インクジェット法は、カラーフィルタ基板と液滴吐出ヘッドとを所定の走査方向に
相対移動させ、各アクチュエータに上記の駆動波形信号を所定の吐出周波数で入力する。
これにより、配列されたノズル分の液滴が所定の吐出周波数で順次吐出され、液状体のパ
ターンがカラーフィルタ基板の走査方向に沿って順次描画される。
【０００６】
しかし、上記液滴吐出ヘッドは、共通する１つのタンクから全てのノズルに向けて液状
体を導出させる。そのため、以下の問題を招いていた。すなわち、液滴吐出ヘッドは、多
数のノズルが同時に液滴を吐出するとき、ノズルごとの流路抵抗が液状体の供給圧に大き
な影響を及ぼし（例えば、隣接するノズル間でクロストークを来たし）、ノズルごとの吐
出重量に大きなバラツキを来たす。この結果、相対的にサイズの大きい液滴、あるいは、
相対的にサイズの小さい液滴が走査方向に沿って連続し、液滴吐出ヘッドの走査方向に沿
う膜厚段差が形成されて、液晶ディスプレイの表示画質が著しく低下する。
【０００７】
本発明は、上記問題を解決するためになされたものであり、その目的は、液滴を吐出し
て形成する膜パターンの膜厚均一性を向上させた液滴吐出ヘッドの駆動方法、液滴吐出装
置、及び電気光学装置を提供することである。
【課題を解決するための手段】
【０００８】
本発明の液滴吐出ヘッドの駆動方法は、所定の方向に配列された複数のノズルのうちか
ら液滴を吐出するための複数の駆動ノズルを選択的に駆動させる液滴吐出ヘッドの駆動方
法であって、前記複数のノズルを予め定めた複数のブロックに分割し、前記複数の駆動ノ
ズルの各々を対応する前記ブロックごとに互いに異なるタイミングで駆動する。
【０００９】
本発明の液滴吐出ヘッドの駆動方法によれば、各ブロックが、それぞれ異なるタイミン
グで液滴を吐出する。したがって、ブロックの数量分だけ、吐出タイミングの重複を低減
させることができ、同時吐出に起因した液滴重量のバラツキを抑制させることができる。
この結果、ノズルごとの液滴重量を均一にさせることができ、ひいては、液滴を吐出して
形成する膜パターンの膜厚均一性を向上させることができる。
【００１０】
この液滴吐出ヘッドの駆動方法であって、所定の吐出周波数ごとに異なる前記ブロック
を駆動する構成であってもよい。
この液滴吐出ヘッドの駆動方法によれば、同一のブロックが離散的に液滴を吐出する。
したがって、同一のブロックが連続して液滴を吐出する場合に比べ、液滴の吐出分布を均
一にさせることができる。ひいては、膜パターンの膜厚均一性を向上させることができる
。
【００１１】
この液滴吐出ヘッドの駆動方法であって、隣接するノズルの各々が異なる前記ブロック
に分割される構成であってもよい。
この液滴吐出ヘッドの駆動方法によれば、隣接するノズルの各々が異なるタイミングで
液滴を吐出する。したがって、ノズル間のクロストークを、より確実に回避させることが
できる。ひいては、液滴を吐出して形成する膜パターンの膜厚均一性を向上させることが
できる。
【００１２】
この液滴吐出ヘッドの駆動方法であって、複数のノズルの各々に対し吐出する前記液滴
の重量に応じたランクを対応付け、前記駆動ノズルを駆動して前記液滴の重量を予め規定
した所定の重量に較正するための駆動波形信号を前記ランクごとに生成し、前記駆動ノズ
ルの各々に前記ランクに対応する前記駆動波形信号を供給する構成であってもよい。
【００１３】
この液滴吐出ヘッドの駆動方法によれば、各液滴の重量が、それぞれ予め定めた所定の
重量に定められる。したがって、ノズルごとの液滴重量を、より確実に均一にさせること
ができる。
【００１４】
本発明の液滴吐出装置は、所定の方向に配列された複数のノズルのうちから複数の駆動
ノズルを選択するノズル選択データを記憶する記憶手段と、前記複数のノズルを予め定め
た複数のブロックに分割し、前記複数のブロックのいずれか１つを選択するブロック選択
信号を前記液滴の吐出タイミングごとに生成する選択信号生成手段と、前記液滴の吐出タ
イミングごとに、前記ブロック選択信号により選択される前記ブロック内の前記ノズルで
あって、かつ、前記ノズル選択データにより選択される前記駆動ノズルに対し前記液滴を
吐出させるための駆動波形信号を出力する出力手段と、を備えた。
【００１５】
本発明の液滴吐出装置によれば、各ブロックが、それぞれ異なるタイミングで液滴を吐
出する。したがって、ブロックの数量分だけ、吐出タイミングの重複を低減させることが
でき、同時吐出に起因した液滴重量のバラツキを抑制させることができる。この結果、ノ
ズルごとの液滴重量を均一にさせることができ、ひいては、液滴を吐出して形成する膜パ
ターンの膜厚均一性を向上させることができる。
【００１６】
この液滴吐出装置であって、前記選択信号生成手段は、前記液滴の吐出タイミングで生
成されるクロック信号の入力回数をカウントし、前記複数のブロックの各々に予め前記入
力回数を対応付け、前記液滴の吐出タイミングごとに、前記複数のブロックのうちから前
記入力回数に対応付けられたブロックを選択するための前記ブロック選択信号を生成する
構成であってもよい。
【００１７】
この液滴吐出装置によれば、液滴を吐出するためのブロックが、クロック信号の入力回
数に応じて選択される。したがって、複数のブロックによる同時吐出を確実に回避させる
ことができる。この結果、液滴を吐出して形成する膜パターンの膜厚均一性を、確実に向
上させることができる。
【００１８】
この液滴吐出装置であって、前記記憶手段は、前記ブロックの数量が異なる複数の描画
モードのうちから所定の描画モードを指定するモード選択データを記憶し、前記選択信号
生成手段は、前記描画モードに対応する前記複数のブロックの各々に予め前記入力回数を
対応付け、前記液滴の吐出タイミングごとに、前記モード選択データにより指定される前
記描画モードに基づいて、前記複数のブロックのうちから前記入力回数に対応付けられた
ブロックを選択するための前記ブロック選択信号を生成する構成であってもよい。
【００１９】
この液滴吐出装置によれば、ブロックの数量が、モード選択データにより選択可能とな
る。したがって、ブロックの選択範囲を拡張させることができ、ひいては描画対象の範囲
を拡張させることができる。
【００２０】
この液滴吐出装置であって、前記選択信号生成手段は、隣接するノズルの各々を異なる
前記ブロックに分割する構成であってもよい。
この液滴吐出装置によれば、隣接するノズルの各々が異なるタイミングで液滴を吐出す
る。したがって、ノズル間のクロストークを、より確実に回避させることができる。ひい
ては、液滴を吐出して形成する膜パターンの膜厚均一性を向上させることができる。
【００２１】
この液滴吐出装置であって、前記記憶手段は、前記複数のノズルの各々に対し吐出重量
に応じたランクを対応付けるための情報を記憶し、前記出力手段は、前記吐出重量を所定
の重量に較正する駆動波形信号を前記ランクごとに生成し、前記記憶手段の記憶する前記
情報に基づいて、前記駆動ノズルの各々に対し前記ランクに応じた前記駆動波形信号を出
力する構成であってもよい。
【００２２】
この液滴吐出装置によれば、駆動ノズルの各々が、所定の重量を吐出するための駆動波
形信号により駆動される。したがって、ノズルごとの液滴重量を、さらに均一にさせるこ
とができ、ひいては、液滴を吐出して形成する膜パターンの膜厚均一性を、さらに向上さ
せることができる。
【００２３】
本発明の電気光学装置は、基板に吐出した液滴を乾燥させて形成した薄膜を有する電気
光学装置であって、前記薄膜は、上記液滴吐出装置によって形成されたことを特徴とする
電気光学装置。
【００２４】
本発明の電気光学装置によれば、各種薄膜の膜厚均一性を向上させることができる。ひ
いては、電気光学装置の光学特性を向上させることができる。
【発明を実施するための最良の形態】
【００２５】
以下、本発明を具体化した一実施形態を図１〜図１８に従って説明する。まず、電気光
学装置としての液晶表示装置１について説明する。図１は、液晶表示装置の全体を示す斜
視図であり、図２は、液晶表示装置に備えられたカラーフィルタ基板を示す斜視図である
。
【００２６】
図１において、液晶表示装置１は、バックライト２と液晶パネル３とを有する。バック
ライト２は、光源４から出射された光を液晶パネル３の全面に照射させる。液晶パネル３
は、素子基板５とカラーフィルタ基板６とを有し、これら素子基板５とカラーフィルタ基
板６とが、四角枠状のシール材７によって貼り合わされて、その間隙に液晶ＬＣを封入す
る。液晶ＬＣは、バックライト２からの光を変調して所望の画像をカラーフィルタ基板６
の上面に表示させる。
【００２７】
図２において、カラーフィルタ基板６の上面（図１の下面：素子基板５と相対向する側
面）には、格子状の遮光層８と、該遮光層８によって囲まれた多数の空間（画素９）と、
が形成されている。遮光層８は、クロムやカーボンブラックなどの遮光性材料を含む樹脂
で形成され、液晶ＬＣの透過した光を遮光する。各画素９内には、特定波長の光を透過す
る薄膜としてのカラーフィルタＣＦが形成されている。カラーフィルタＣＦは、例えば、
赤色の光を透過する赤色フィルタＣＦＲと、緑色の光を透過する緑色フィルタＣＦＧと、
青色の光を透過する青色フィルタＣＦＢと、を有する。カラーフィルタＣＦは、本発明の
液滴吐出装置を利用して形成されている。すなわち、カラーフィルタＣＦは、各フィルタ
材料の液滴を対応する画素９内に吐出し、各画素９内に着弾した液滴を乾燥することによ
って形成されている。
【００２８】
ここで、カラーフィルタ基板６の上面（図１の下面）を、吐出面６ａという。
次に、上記カラーフィルタＣＦを形成するための液滴吐出装置について説明する。図３
は、液滴吐出装置を示す全体斜視図である。
【００２９】
図３において、液滴吐出装置１０は、直方体形状に形成された基台１１を有する。基台
１１の上面には、その長手方向（Ｙ方向）に沿って延びる一対の案内溝１２が形成され、
一対の案内溝１２には、基板ステージ１３が取着されている。基板ステージ１３は、基台
１１に設けられたステージモータの出力軸に連結されている。基板ステージ１３は、吐出
面６ａを上側にした状態でカラーフィルタ基板６を載置し、該カラーフィルタ基板６を位
置決め固定する。基板ステージ１３は、ステージモータが正転又は逆転するとき、案内溝
１２に沿って所定の速度で走査され、カラーフィルタ基板６をＹ方向に沿って走査させる
。
【００３０】
基台１１の上側には、門型に形成されたガイド部材１４がＹ方向と直交するＸ方向に沿
って架設されている。ガイド部材１４の上側には、インクタンク１５が配設されている。
インクタンク１５は、フィルタ材料を含む液状体（フィルタ用インクＩｋ）を貯留し、フ
ィルタ用インクＩｋを所定の圧力で導出する。
【００３１】
ガイド部材１４には、Ｘ方向に延びる上下一対のガイドレール１６が形成され、上下一
対のガイドレール１６には、キャリッジ１７が取着されている。キャリッジ１７は、ガイ
ド部材１４に設けられたキャリッジモータの出力軸に連結されている。キャリッジ１７の
下側には、Ｘ方向に配列された複数の液滴吐出ヘッド１８（以下単に、吐出ヘッド１８と
いう。）が搭載されている。キャリッジ１７は、キャリッジモータが正転又は逆転すると
き、ガイドレール１６に沿って走査され、各吐出ヘッド１８をＸ方向に沿って走査させる
。
【００３２】
図４は、吐出ヘッド１８を下側（基板ステージ１３）から見た図であり、図５は、図４
のＡ―Ａ線断面図である。
図４において、吐出ヘッド１８の上側（図３における下側）には、ノズルプレート１９
が備えられている。ノズルプレート１９の上面（図３における下面）には、カラーフィル
タ基板６と平行のノズル形成面１９ａが形成され、そのノズル形成面１９ａには、ノズル
形成面１９ａの法線方向に貫通する１８０個の貫通孔（ノズルＮ）がＸ方向に沿って等間
隔に配列されている。吐出ヘッド１８の下側（図３における上側）には、ヘッド基板２０
が設けられ、そのヘッド基板２０の一側端には、入力端子２０ａが設けられている。入力
端子２０ａには、吐出ヘッド１８を駆動するための各種の信号が入力される。
【００３３】
ここで、最もＸ矢印方向に位置するノズルＮを第１ノズルＮ１とし、反Ｘ矢印方向に向
かって順に、第２ノズルＮ２、・・・、第１７９ノズルＮ１７９、第１８０ノズルＮ１８
０、という。
【００３４】
図５において、各ノズルＮの上側には、それぞれインクタンク１５に連通するキャビテ
ィ２１が形成されている。各キャビティ２１には、それぞれ共通するインクタンク１５か
らフィルタ用インクＩｋが供給される。各キャビティ２１は、フィルタ用インクＩｋを貯
留して対応するノズルＮに供給する。各キャビティ２１の上側には、上下方向に振動可能
な振動板２２が貼り付けられて、対応するキャビティ２１の容積を拡大及び縮小可能にす
る。振動板２２の上側には、それぞれアクチュエータとしての圧電素子ＰＺが配設されて
いる。各圧電素子ＰＺは、それぞれ圧電素子ＰＺを駆動するための信号（駆動波形信号Ｃ
ＯＭ）が入力されるとき、上下方向に収縮及び伸張して対応する振動板２２を振動させる
。
【００３５】
各キャビティ２１は、それぞれ対応する振動板２２が振動するとき、対応するノズルＮ
のメニスカスを上下方向に振動させ、駆動波形信号ＣＯＭ（駆動電圧）に応じた所定の重
量のフィルタ用インクＩｋを対応するノズルＮから液滴Ｄとして吐出させる。吐出された
液滴Ｄは、カラーフィルタ基板６の略法線に沿って飛行し、ノズルＮと相対向する吐出面
６ａ上の位置に着弾する。
【００３６】
図４において、基台１１の左側には、液滴重量装置２３が配設されている。液滴重量装
置２３は、液滴Ｄの重量（吐出重量としての実重量Ｉｗ）をノズルＮごとに計測するもの
であって、公知の重量計測装置を用いることができる。液滴重量装置２３には、例えば、
吐出された液滴Ｄを受け皿で受けて液滴Ｄを秤量する電子天秤を用いることができる。ま
た、液滴重量装置２３には、電極を有した圧電振動子を利用し、該電極に向けて液滴Ｄを
吐出させ、液滴Ｄの着弾により変化する圧電振動子の共振周波数に基づいて液滴Ｄの実重
量Ｉｗを検出するものを用いることができる。
【００３７】
ここで、列内の全てのノズルＮから吐出した各液滴Ｄの実重量Ｉｗの平均値を、平均実
重量Ｉｗｃｅｎという。なお、平均実重量Ｉｗｃｅｎは、吐出した液滴Ｄの中で最大とな
る実重量ＩｗをＩｗｍａｘとし、最小となる実重量ＩｗをＩｗｍｉｎとするときに、Ｉｗ
ｃｅｎ＝（Ｉｗｍａｘ＋Ｉｗｍｉｎ）／２により規定される。平均実重量Ｉｗｃｅｎは、
キャリッジ１７に搭載された複数の吐出ヘッド１８の各々に対して規定される。
【００３８】
次に、上記液滴吐出装置１０の電気的構成を図６〜図１８に従って説明する。図６は、
液滴吐出装置１０の電気的構成を示すブロック回路図である。
図６において、制御装置３０は、液滴吐出装置１０に各種の処理動作（例えば、「通常
モード」による描画処理や「デューティ（ＤＵＴＹ）モード」による描画処理）を実行さ
せるものである。
【００３９】
制御装置３０は、外部Ｉ／Ｆ３１と、ＣＰＵなどからなる制御部３２と、ＤＲＡＭ及び
ＳＲＡＭからなり各種のデータを格納する記憶手段としてのＲＡＭ３３と、各種制御プロ
グラムを格納するＲＯＭ３４と、を有する。また、制御装置３０は、クロック信号を生成
する発振回路３５と、駆動波形信号ＣＯＭを生成する駆動波形信号生成手段としての駆動
波形生成回路３６と、液滴重量装置２３を駆動するための重量装置駆動回路３７と、基板
ステージ１３やキャリッジ１７を走査するためのモータ駆動回路３８と、各種の信号を送
信する内部Ｉ／Ｆ３９と、を有する。制御装置３０は、外部Ｉ／Ｆ３１を介して入出力装
置４０に接続されている。また、制御装置３０は、内部Ｉ／Ｆ３９を介して基板ステージ
１３、キャリッジ１７及び液滴重量装置２３に接続されている。また、制御装置３０は、
内部Ｉ／Ｆ３９を介して吐出ヘッド１８の各々に対応する複数のヘッド駆動回路４１に接
続されている。
【００４０】
入出力装置４０は、例えばＣＰＵ、ＲＡＭ、ＲＯＭ、ハードディスク、液晶ディスプレ
イなどを有した外部コンピュータである。入出力装置４０は、ＲＯＭ又はハードディスク
に記憶された制御プログラムに従って液滴吐出装置１０を駆動させるための各種の制御信
号や各種のデータを外部Ｉ／Ｆ３１に出力する。例えば、入出力装置４０は、描画モード
を選択するためのモードデータＩｍ、描画データＩｐ、基準駆動電圧データＩｖ及びヘッ
ドデータＩｈを外部Ｉ／Ｆ３１に出力する。外部Ｉ／Ｆ３１は、入出力装置４０から入力
されたモードデータＩｍ、描画データＩｐ、基準駆動電圧データＩｖ及びヘッドデータＩ
ｈなどを受信する。
【００４１】
ここで、描画モードとは、液滴Ｄの吐出状態を制御する形態であり、「通常モード」と
、「１／１ＤＵＴＹ」と、「１／２ＤＵＴＹ」と、「１／３ＤＵＴＹ」と、「１／４ＤＵ
ＴＹ」と、からなる５種類のモードである。
【００４２】
描画データＩｐとは、カラーフィルタＣＦの位置や膜厚に関する情報、液滴Ｄの吐出位
置に関する情報、基板ステージ１３の走査速度に関する情報など、吐出面６ａの各画素９
に液滴Ｄを吐出させるための各種のデータである。
【００４３】
基準駆動電圧データＩｖとは、平均実重量Ｉｗｃｅｎを予め規定された所定の重量（基
準重量）に較正するための駆動電圧（基準駆動電圧Ｖｈ０）に関するデータである。基準
駆動電圧データＩｖは、各吐出ヘッド１８の平均実重量Ｉｗｃｅｎが異なるため、吐出ヘ
ッド１８ごとに規定される。すなわち、基準駆動電圧データＩｖとは、各吐出ヘッド１８
の平均実重量Ｉｗｃｅｎを共通する基準重量に較正するためのデータである。
【００４４】
ヘッドデータＩｈとは、ノズルＮ（圧電素子ＰＺ）の各々を４種類の「ランク」に分類
したデータであり、ノズルＮの各々に対し液滴Ｄの重量に基づくランクを対応付けたデー
タである。ヘッドデータＩｈでは、例えば、図７に示すように、吐出した液滴Ｄの実重量
ＩｗがＩｗｃｅｎ×１．０２＞Ｉｗ≧Ｉｗｃｅｎ×１．０１を満たすノズルＮに対し、ラ
ンク「１」が設定されている。また、吐出した液滴Ｄの実重量ＩｗがＩｗｃｅｎ×１．０
１＞Ｉｗ≧Ｉｗｃｅｎを満たすノズルＮに対し、ランク「２」が設定され、吐出した液滴
Ｄの実重量ＩｗがＩｗｃｅｎ＞Ｉｗ≧Ｉｗｃｅｎ×０．９９を満たすノズルＮに対し、ラ
ンク「３」が設定されている。また、吐出した液滴Ｄの実重量ＩｗがＩｗｃｅｎ×０．９
９＞Ｉｗ≧Ｉｗｃｅｎ×０．９８を満たすノズルＮに対し、ランク「４」に設定されてい
る。
【００４５】
図６において、ＲＡＭ３３は、受信バッファ３３ａ、中間バッファ３３ｂ、出力バッフ
ァ３３ｃとして利用される。
ＲＯＭ３４は、制御部３２が実行する各種の制御ルーチンと、該制御ルーチンを実行す
るための各種のデータと、を格納する。ＲＯＭ３４は、例えば、その時々の各ノズルＮに
対してランクに応じた駆動波形信号ＣＯＭを対応付けるためのランクデータを格納する。
ランクデータとは、図７に示すように、各ランク（「１」〜「４」）をそれぞれ４種類の
異なる駆動波形信号ＣＯＭ（第１駆動波形信号ＣＯＭＡ，第２駆動波形信号ＣＯＭＢ，第
３駆動波形信号ＣＯＭＣ，第４駆動波形信号ＣＯＭＤ）のいずれか１つに対応付けるため
のデータである。すなわち、ランクデータとは、ノズルＮの各々に対しランクに応じた駆
動波形信号ＣＯＭを対応付けるためのデータである。
【００４６】
図６において、発振回路３５は、各種のデータや各種の駆動信号を同期させるためのク
ロック信号を生成する。発振回路３５は、例えば、各種のデータのシリアル転送時に利用
される転送クロックＳＣＬＫを生成する。発振回路３５は、シリアル転送された各種のデ
ータのパラレル変換時に利用されるラッチ信号（パターンデータ用ラッチ信号ＬＡＴＡや
コモン選択データ用ラッチ信号ＬＡＴＢ）を生成する。また、発振回路３５は、液滴Ｄの
吐出タイミングを規定するためのステート切替え信号ＣＨＡを生成する。
【００４７】
駆動波形生成回路３６は、波形メモリ３６ａ、ラッチ回路３６ｂ、Ｄ／Ａ変換器３６ｃ
、増幅器３６ｄを有する。波形メモリ３６ａは、各駆動波形信号ＣＯＭを生成するための
波形データを所定のアドレスに対応させて格納する。ラッチ回路３６ｂは、制御部３２が
波形メモリから読み出した波形データを所定のクロック信号でラッチする。Ｄ／Ａ変換器
３６ｃは、ラッチ回路３６ｂがラッチした波形データをアナログ信号に変換し、増幅器３
６ｄは、Ｄ／Ａ変換器３６ｃが変換したアナログ信号を増幅して駆動波形信号ＣＯＭを同
時に生成する。
【００４８】
制御部３２は、入出力装置４０が基準駆動電圧データＩｖを入力するとき、駆動波形生
成回路３６を介し、基準駆動電圧データＩｖを参照して波形メモリ３６ａの波形データを
読み出す。そして、制御部３２は、駆動波形生成回路３６を介し、吐出周波数に同期した
４種類の駆動波形信号ＣＯＭ（第１駆動波形信号ＣＯＭＡ，第２駆動波形信号ＣＯＭＢ，
第３駆動波形信号ＣＯＭＣ，第４駆動波形信号ＣＯＭＤ）を生成させる。
【００４９】
制御部３２は、駆動波形生成回路３６を介し、第１〜第４駆動波形信号ＣＯＭＡ，ＣＯ
ＭＢ，ＣＯＭＣ，ＣＯＭＤをそれぞれランク「１」〜「４」に応じた異なる駆動電圧から
なる信号として生成させる。例えば、図７及び図８に示すように、制御部３２は、第１駆
動波形信号ＣＯＭＡをランク「１」のノズルＮに応じた駆動電圧（第１駆動電圧Ｖｈａ）
からなる信号として生成させる。第１駆動電圧Ｖｈａは、基準駆動電圧Ｖｈ０よりも低い
レベルの電圧（例えば、Ｖｈａ＝Ｖｈ０×０．９８５）である。これにより、ランク「１
」のノズルＮは、対応する圧電素子ＰＺに第１駆動波形信号ＣＯＭＡが入力されるとき、
第１駆動電圧Ｖｈａの分だけ、対応する圧電素子ＰＺの駆動量（伸縮量）を小さくさせて
液滴Ｄの実重量Ｉｗを較正し、該液滴Ｄの実重量Ｉｗを平均実重量Ｉｗｃｅｎ（基準重量
）にする。
【００５０】
同じく、制御部３２は、駆動波形生成回路３６を介し、第２駆動波形信号ＣＯＭＢ、第
３駆動波形信号ＣＯＭＣ、第４駆動波形信号ＣＯＭＤをそれぞれランク「２」、ランク「
３」、ランク「４」に応じた駆動電圧（第２駆動電圧Ｖｈｂ、第３駆動電圧Ｖｈｃ、第４
駆動電圧Ｖｈｄ）からなる信号として生成させる。第２駆動電圧Ｖｈｂ、第３駆動電圧Ｖ
ｈｃ、第４駆動電圧Ｖｈｄは、それぞれＶｈｂ＝Ｖｈ０×０．９９５、Ｖｈｃ＝Ｖｈ０×
１．００５、Ｖｈｄ＝Ｖｈ０×１．０１５である。ランク「２」、ランク「３」、ランク
「４」のノズルＮは、それぞれ対応する圧電素子ＰＺに第２駆動波形信号ＣＯＭＢ、第３
駆動波形信号ＣＯＭＣ、第４駆動波形信号ＣＯＭＤが入力されるとき、ランクに応じた駆
動電圧によって液滴Ｄの実重量Ｉｗを較正し、該液滴Ｄの実重量Ｉｗを基準重量にする。
【００５１】
これにより、全てのノズルＮ（圧電素子ＰＺ）は、それぞれランクに対応する駆動波形
信号ＣＯＭが入力されるとき、各液滴Ｄの実重量Ｉｗをそれぞれ共通する基準重量に規格
化せることができる。
【００５２】
図６において、制御部３２は、重量装置駆動回路３７に対応する駆動制御信号を出力す
る。重量装置駆動回路３７は、制御部３２からの駆動制御信号に応答し、内部Ｉ／Ｆ３９
を介して液滴重量装置２３を駆動させる。
【００５３】
制御部３２は、モータ駆動回路３８に対応する駆動制御信号を出力する。モータ駆動回
路３８は、制御部３２からの駆動制御信号に応答し、内部Ｉ／Ｆ３９を介して基板ステー
ジ１３、キャリッジ１７を走査させる。
【００５４】
制御部３２は、外部Ｉ／Ｆ３１が受信したヘッドデータＩｈを受信バッファ３３ａに一
時的に格納させる。制御部３２は、ヘッドデータＩｈを中間コードに変換し中間コードデ
ータとして中間バッファ３３ｂに格納させる。制御部３２は、中間バッファ３３ｂから中
間コードデータを読み出し、ＲＯＭ３４内のランクデータを参照してコモン選択データに
展開し、該コモン選択データを出力バッファ３３ｃに格納させる。
【００５５】
コモン選択データとは、ドットパターン格子の各格子点にそれぞれ２ビットの値（”０
０”、”０１”、”１０”、”１１”）を対応付けたデータであって、４値の各々に対し
第１〜第４駆動波形信号ＣＯＭＡ，ＣＯＭＢ，ＣＯＭＣ，ＣＯＭＤのいずれか１つを対応
付けるためのデータである。なお、ドットパターン格子とは、２次元の描画平面である吐
出面６ａ上に規定され、液滴Ｄの吐出周期で規定される最小間隔の格子である。
【００５６】
制御部３２は、基板ステージ１３の１スキャン分に相当するコモン選択データが得られ
ると、コモン選択データを利用して転送クロックＳＣＬＫに同期したシリアルデータを生
成し、内部Ｉ／Ｆ３９を介して該シリアルデータをヘッド駆動回路４１にシリアル転送さ
せる。制御部３２は、１スキャン分のコモン選択データをシリアル転送させると、中間バ
ッファの内容を消去し、次の中間コードデータに対して展開処理を実行する。
【００５７】
ここで、コモン選択データを利用して生成されたシリアルデータを、シリアルコモン選
択データＳＩＢという。シリアルコモン選択データＳＩＢは、描画モードに関わらず共通
して利用されるデータである。
【００５８】
図９において、シリアルコモン選択データＳＩＢは、１８０個のノズルＮの各々に１ビ
ットの値を対応させた１８０ビットの上位選択データＳＩＨと、１８０個のノズルＮの各
々に１ビットの値を対応させた１８０ビットの下位選択データＳＩＬと、３２ビットの制
御データＣＲと、を有する。
【００５９】
上位選択データＳＸＨは、駆動波形信号ＣＯＭの種別を選択するための２ビットの値の
うちの上位ビットで構成される。下位選択データＳＸＬは、駆動波形信号ＣＯＭを選択す
るための２ビットの値のうちの下位ビットで構成される。
【００６０】
制御部３２は、ヘッド駆動回路４１を介し、上位選択データＳＸＨ及び下位選択データ
ＳＸＬを用い、図１０に示す真理値表に従って、１８０個のノズルＮ（圧電素子ＰＺ）の
各々にそれぞれ駆動波形信号ＣＯＭの種別を対応付ける。例えば、制御部３２は、ヘッド
駆動回路４１を介し、上位選択データＳＸＨが“０”、下位選択データＳＸＬが“０”の
ノズルＮ（圧電素子ＰＺ）にそれぞれ第１駆動波形信号ＣＯＭＡを対応付ける。制御部３
２は、上位選択データＳＸＨと下位選択データＳＸＬが“０１”、“１０”、“１１”の
ノズルＮ（圧電素子ＰＺ）に、それぞれ第２駆動波形信号ＣＯＭＢ、第３駆動波形信号Ｃ
ＯＭＣ、第４駆動波形信号ＣＯＭＤを対応付ける。
【００６１】
制御データＣＲは、３ビットのモード選択データ（第１モード選択データＡＤ１、第２
モード選択データＡＤ２、及び第３モード選択データＡＤ３）を有する。第１〜第３モー
ド選択データＡＤ１，ＡＤ２，ＡＤ３は、描画モードを規定するためのデータである。
【００６２】
制御部３２は、第１〜第３モード選択データＡＤ１，ＡＤ２，ＡＤ３を用い、図１１に
示す真理値表に従って、ヘッド駆動回路４１に対し描画モードを規定する。例えば、制御
部３２は、第１、第２及び第３モード選択データＡＤ１，ＡＤ２，ＡＤ３が“０ＸＸ”（
Ｘは“０”あるいは“１”）であるとき、ヘッド駆動回路４１に対し描画モードが通常モ
ードである（ＤＵＴＹモードオフである）ことを規定する。制御部３２は、第１、第２及
び第３モード選択データＡＤ１，ＡＤ２，ＡＤ３が“１００”、“１０１”、“１１０”
、１１１“であるとき、ヘッド駆動回路４１に対しそれぞれ描画モードが「１／１ＤＵＴ
Ｙ」、「１／２ＤＵＴＹ」、「１／３ＤＵＴＹ」、「１／４ＤＵＴＹ」（ＤＵＴＹモード
がオン）であることを規定する。
【００６３】
図６において、制御部３２は、外部Ｉ／Ｆ３１が受信した描画データＩｐを受信バッフ
ァ３３ａに一時的に格納させる。制御部３２は、モードデータＩｍに応じて描画データＩ
ｐを中間コードに変換し中間コードデータとして中間バッファ３３ｂに格納させる。
【００６４】
制御部３２は、描画モードが「通常モード」であるとき、中間バッファ３３ｂから中間
コードデータを読み出してドットパターンデータに展開し、該ドットパターンデータを出
力バッファ３３ｃに格納させる。
【００６５】
一方、制御部３２は、描画モードが各「ＤＵＴＹモード」（「１／１ＤＵＴＹ」、「１
／２ＤＵＴＹ」、「１／３ＤＵＴＹ」、「１／４ＤＵＴＹ」）であるとき、中間バッファ
３３ｂから中間コードデータを読み出し、「ＤＵＴＹモード」に対応するドットパターン
データに展開し、該ドットパターンデータを出力バッファ３３ｃに格納させる。
【００６６】
ドットパターンデータは、２次元描画平面（吐出面６ａ）の各位置（ドットパターン格
子の各格子）にそれぞれ液滴Ｄを吐出させるか否か（吐出・非吐出）を対応付けるデータ
である。ドットパターンデータは、ドットパターン格子の各格子にそれぞれ１ビットの値
（”０”あるいは”１”）を対応づけるためのデータである。なお、ドットパターン格子
は、液滴Ｄの吐出周期で規定される最小間隔の格子である。
【００６７】
制御部３２は、基板ステージ１３の１スキャン分に相当するドットパターンデータを展
開すると、該ドットパターンデータを利用して転送クロックＳＣＬＫに同期したシリアル
データを生成し、内部Ｉ／Ｆ３９を介して、該シリアルデータをヘッド駆動回路４１にシ
リアル転送させる。制御部３２は、１スキャン分のドットパターンデータをシリアル転送
させると、中間バッファ３３ｂの内容を消去し、次の中間コードデータに対して展開処理
を実行する。
【００６８】
ここで、ドットパターンデータを利用して生成されるシリアルデータを、シリアルパタ
ーンデータＳＩＡという。
図１２において、シリアルパターンデータＳＩＡは、１８０個のノズルＮの各々に１ビ
ットの値を対応させた１８０ビットの上位選択データＳＩＨと、１８０個のノズルＮの各
々に１ビットの値を対応させた１８０ビットの下位選択データＳＩＬと、３２ビットのパ
ターンデータＳＰと、を有する。制御部３２は、描画モードが「通常モード」である場合
と、「ＤＵＴＹモード」である場合とに応じ、上位選択データＳＩＨ、下位選択データＳ
ＩＬ、及びパターンデータＳＰの内容を以下のように変更する。
【００６９】
描画モードが「通常モード」であるとき、上位選択データＳＩＨは、ドットの階調を選
択するための２ビットの値のうちの上位ビットで構成される。下位選択データＳＩＬは、
ドットの階調を選択するための２ビットの値のうちの下位ビットで構成される。パターン
データＳＰは、図１３に示すように、上位選択データＳＩＨと下位選択データＳＩＬとに
より規定される４値（“００”、“０１”、“１０”、“１１”）の各々に８ビットを対
応させた３２ビットのデータ（各スイッチデータＰｎｍ（ｎｍ＝００〜０３、１０〜１３
、・・・、７０〜７３）で構成される。各スイッチデータＰｎｍ（“０”あるいは“１”
のビットデータ）は、圧電素子ＰＺのオンあるいはオフを規定するためのデータである。
【００７０】
図１３において、ステート切替え信号ＣＨＡは、液滴Ｄの吐出タイミングを規定するた
めのパルス信号であり、液滴Ｄの吐出周波数で生成される。ここで、ステート切替え信号
ＣＨＡのパルスごとに規定される状態を、「ステート」という。ステート切替え信号ＣＨ
Ａは、先行するパターンデータ用ラッチ信号ＬＡＴＡが生成されて後続するパターンデー
タ用ラッチ信号ＬＡＴＡが生成されるまでの間の状態を複数のステート（例えば、「０」
〜「７」の各ステート）に区分する。
【００７１】
描画モードが「通常モード」であるとき、制御部３２は、ヘッド駆動回路４１を介し、
図１３に示す真理値表に従ってパターンデータＳＰの各データ（各スイッチデータＰｎｍ
）をそれぞれ各ステートに対応付ける。例えば、制御部３２は、ヘッド駆動回路４１を介
し、上位選択データＳＩＨが“０”、下位選択データＳＩＬが“０”のノズルＮ（圧電素
子ＰＺ）に対し、スイッチデータＰ００、Ｐ１０、・・・、Ｐ７０を対応付ける。制御部
３２は、スイッチデータＰ００、Ｐ１０、・・・、Ｐ７０をそれぞれ「０」〜「７」の各
ステートに対応付ける。そして、制御部３２は、ヘッド駆動回路４１を介し、“１”に設
定されたスイッチデータＰ００〜Ｐ７０のステートで該圧電素子ＰＺに駆動波形信号ＣＯ
Ｍを供給する。例えば、Ｐ００〜Ｐ６０が”０“であり、Ｐ７０が”１“であるとき、制
御部３２は、ステートが「０」〜「６」の間、圧電素子ＰＺをオフし、ステートが「７」
になるタイミングで該圧電素子ＰＺをオンする。
【００７２】
制御部３２は、同様に、上位選択データＳＩＨと下位選択データＳＩＬが、それぞれ“
０１”、“１０”、“１１”のノズルＮ（圧電素子ＰＺ）に対し、図１３に示す真理値表
に従って、それぞれスイッチデータＰ０１〜Ｐ７１、Ｐ０２〜Ｐ７２、Ｐ０３〜Ｐ７３を
対応付ける。制御部３２は、スイッチデータＰ０１〜Ｐ７１、Ｐ０２〜Ｐ７２、Ｐ０３〜
Ｐ７３をそれぞれ「０」〜「７」の各ステートに対応付ける。そして、制御部３２は、ヘ
ッド駆動回路４１を介し、“１”に設定されたスイッチデータＰ０１〜Ｐ７１、Ｐ０２〜
Ｐ７２、Ｐ０３〜Ｐ７３のステートで対応する圧電素子ＰＺに駆動波形信号ＣＯＭを供給
する。
【００７３】
これにより、描画モードが「通常モード」であるとき、全てのノズルＮは、上位選択デ
ータＳＩＨ及び下位選択データＳＩＬで規定される駆動パルスのパターンで液滴Ｄを吐出
させ、所望の階調を実現させることができる。
【００７４】
一方、描画モードが「ＤＵＴＹモード」であるとき、上位選択データＳＩＨ及びパター
ンデータＳＰは、それぞれシリアルパターンデータＳＩＡを転送クロックＳＣＬＫにより
転送可能にするためのダミーデータであり、無効となるデータで構成される。下位選択デ
ータＳＩＬは、液滴Ｄを吐出するノズルＮを選択するためのノズル選択データであって、
圧電素子ＰＺのオンあるいはオフを１ビットの値（“１”あるいは“０”）で規定した１
８０ビットで構成される。
【００７５】
描画モードが「ＤＵＴＹモード」であるとき、制御部３２は、ヘッド駆動回路４１を介
し、シリアルパターンデータＳＩＡの中で下位選択データＳＩＬのみを用い描画処理を実
行させる。
【００７６】
次に、ヘッド駆動回路４１について以下に説明する。
図１４において、ヘッド駆動回路４１は、コモン選択制御信号生成回路５０と、出力制
御信号生成回路６０と、を有する。また、ヘッド駆動回路４１は、出力合成回路７０（第
１〜第４コモン出力合成回路７０Ａ，７０Ｂ，７０Ｃ，７０Ｄ）と、ロジック系の信号を
昇圧してアナログスイッチの駆動電圧レベルに昇圧するレベルシフタ７１（第１〜第４コ
モン用レベルシフタ７１Ａ，７１Ｂ，７１Ｃ，７１Ｄ）と、を有する。また、ヘッド駆動
回路４１は、圧電素子ＰＺに各駆動波形信号ＣＯＭを供給するためのアナログスイッチを
備えた４系統のスイッチ回路７２（第１〜第４コモン用スイッチ回路７２Ａ，７２Ｂ，７
２Ｃ，７２Ｄ）を有する。
【００７７】
まず、各コモン選択制御信号ＰＸＡ，ＰＸＢ，ＰＸＣ，ＰＸＤを生成するためのコモン
選択制御信号生成回路５０について以下に説明する。
図１５において、コモン選択制御信号生成回路５０は、シフトレジスタ５１と、ラッチ
５２と、コモン選択データデコード回路５３と、を有する。
【００７８】
シフトレジスタ５１は、制御データレジスタ５１Ａと、下位選択データレジスタ５１Ｂ
と、上位選択データレジスタ５１Ｃと、を有し、制御装置３０からシリアルコモン選択デ
ータＳＩＢと転送クロックＳＣＬＫとが入力される。
【００７９】
制御データレジスタ５１Ａは、シリアルコモン選択データＳＩＢのうちの制御データＣ
Ｒがシリアル転送され、転送クロックＳＣＬＫによって順次シフトして３２ビットの制御
データＣＲを格納する。制御データレジスタ５１Ａは、格納した制御データＣＲのうちか
ら第１〜第３モード選択データＡＤ１，ＡＤ２，ＡＤ３を読み出し可能にする。
【００８０】
下位選択データレジスタ５１Ｂは、シリアルコモン選択データＳＩＢのうち下位選択デ
ータＳＸＬがシリアル転送され、転送クロックＳＣＬＫによって順次シフトして１８０ビ
ットの下位選択データＳＸＬを格納する。上位選択データレジスタ５１Ｃは、シリアルコ
モン選択データＳＩＢのうち上位選択データＳＸＨがシリアル転送され、転送クロックＳ
ＣＬＫによって順次シフトして１８０ビットの上位選択データＳＸＨを格納する。
【００８１】
ラッチ５２は、制御データラッチ５２Ａと、下位選択データラッチ５２Ｂと、上位選択
データラッチ５２Ｃとを有し、制御装置３０からコモン選択データ用ラッチ信号ＬＡＴＢ
が入力される。
【００８２】
制御データラッチ５２Ａは、コモン選択データ用ラッチ信号ＬＡＴＢが入力されるとき
、制御データレジスタ５１Ａのデータ、すなわち制御データＣＲをラッチし、ラッチした
データを所定の制御回路に出力する。下位選択データラッチ５２Ｂは、コモン選択データ
用ラッチ信号ＬＡＴＢが入力されるとき、下位選択データレジスタ５１Ｂのデータ、すな
わち下位選択データＳＸＬをラッチする。上位選択データラッチ５２Ｃは、コモン選択デ
ータ用ラッチ信号ＬＡＴＢが入力されるとき、上位選択データレジスタ５１Ｃのデータ、
すなわち上位選択データＳＸＨをラッチする。
【００８３】
コモン選択データデコード回路５３は、下位選択データラッチ５２Ｂがラッチした下位
選択データＳＸＬと、上位選択データラッチ５２Ｃがラッチした上位選択データＳＸＨと
、を読み出す。コモン選択データデコード回路５３は、下位選択データＳＸＬ及び上位選
択データＳＸＨを用い、図１０に示す真理値表に従って、４つの異なる駆動波形信号ＣＯ
Ｍの各々について使用するか否か（選択・非選択）を規定する。コモン選択データデコー
ド回路５３は、１８０個のノズルＮの各々に対し、各駆動波形信号ＣＯＭの選択・非選択
を規定したデータを生成する。
【００８４】
ここで、第１駆動波形信号ＣＯＭＡの選択・非選択について規定したデータを、第１コ
モン選択制御信号ＰＸＡという。また、第２駆動波形信号ＣＯＭＢ、第３駆動波形信号Ｃ
ＯＭＣ、第４駆動波形信号ＣＯＭＤの選択・非選択について規定したデータを、それぞれ
第２コモン選択制御信号ＰＸＢ、第３コモン選択制御信号ＰＸＣ、第４コモン選択制御信
号ＰＸＤという。
【００８５】
次いで、出力制御信号ＰＩを生成するための出力制御信号生成回路６０について以下に
説明する。
図１６において、出力制御信号生成回路６０は、シフトレジスタ６１と、ラッチ６２と
、ステートカウンタ６３と、パターンデータ選択回路６４と、ＤＵＴＹ制御信号生成回路
６５と、パターンデータ合成回路６６と、を有する。
【００８６】
なお、シフトレジスタ５１、ラッチ５２，ラッチ６２、及びＲＡＭ３３によって記憶手
段が構成される。また、ステートカウンタ６３と、ＤＵＴＹ制御信号生成回路６５と、に
よって、選択信号生成手段が構成される。また、前記コモン選択制御信号生成回路５０、
出力合成回路７０、レベルシフタ７１、スイッチ回路７２、パターンデータ合成回路６６
によって出力手段が構成される。
【００８７】
シフトレジスタ６１は、パターンデータレジスタ６１Ａと、下位選択データレジスタ６
１Ｂと、上位選択データレジスタ６１Ｃと、を有し、制御装置３０からシリアルパターン
データＳＩＡと転送クロックＳＣＬＫとが入力される。
【００８８】
パターンデータレジスタ６１Ａは、シリアルパターンデータＳＩＡのうちのパターンデ
ータＳＰがシリアル転送され、転送クロックＳＣＬＫによって順次シフトして３２ビット
のパターンデータＳＰを格納する。下位選択データレジスタ６１Ｂは、シリアルパターン
データＳＩＡのうち下位選択データＳＩＬがシリアル転送され、転送クロックＳＣＬＫに
よって順次シフトして１８０ビットの下位選択データＳＩＬを格納する。上位選択データ
レジスタ６１Ｃは、シリアルパターンデータＳＩＡのうち上位選択データＳＩＨがシリア
ル転送され、転送クロックＳＣＬＫによって順次シフトして１８０ビットの上位選択デー
タＳＩＨを格納する。
【００８９】
ラッチ６２は、パターンデータラッチ６２Ａと、下位選択データラッチ６２Ｂと、上位
選択データラッチ６２Ｃと、を有し、制御装置３０からパターンデータ用ラッチ信号ＬＡ
ＴＡが入力される。
【００９０】
パターンデータラッチ６２Ａは、パターンデータ用ラッチ信号ＬＡＴＡが入力されると
き、パターンデータレジスタ６１Ａのデータ、すなわちパターンデータＳＰをラッチする
。下位選択データラッチ６２Ｂは、パターンデータ用ラッチ信号ＬＡＴＡが入力されると
き、下位選択データレジスタ６１Ｂのデータ、すなわち下位選択データＳＩＬをラッチす
る。上位選択データラッチ６２Ｃは、パターンデータ用ラッチ信号ＬＡＴＡが入力される
とき、上位選択データレジスタ６１Ｃのデータ、すなわち上位選択データＳＩＨをラッチ
する。
【００９１】
ステートカウンタ６３は、３ビットのカウンタ回路であり、ステート切替え信号ＣＨＡ
の立ち上がりエッジによってカウントし、ステートを変化させる。ステートカウンタ６３
は、ステートを「０」から「７」までカウントした後、ステート切替え信号ＣＨＡが入力
されることによりステートを「０」に戻す。また、ステートカウンタ６３は、ＬＡＴＡ信
号が“Ｈ”レベル（高い電位のレベル）になるときにリセットされ、ステートを「０」に
戻す。ステートカウンタ６３は、制御装置３０からステート切替え信号ＣＨＡとパターン
データ用ラッチ信号ＬＡＴＡとが入力されるとき、ステートの値をカウントしてパターン
データ選択回路６４とＤＵＴＹ制御信号生成回路６５とに出力する。
【００９２】
パターンデータ選択回路６４は、制御データレジスタ５１Ａから第１〜第３モード選択
データＡＤ１，ＡＤ２，ＡＤ３を読み出し、図１１に示す真理値表に従って、描画モード
の種別を判断する。
【００９３】
パターンデータ選択回路６４は、描画モードが「通常モード」であると判断するとき、
ステートカウンタ６３が出力するステートの値と、パターンデータラッチ６２Ａがラッチ
したパターンデータＳＰと、に基づいて、その時々で、ステートの値に対応するスイッチ
データＰｎ０〜Ｐｎ３を選択する。パターンデータ選択回路６４は、選択したスイッチデ
ータＰｎ０〜Ｐｎ３をパターンデータ合成回路６６に出力する。すなわち、パターンデー
タ選択回路６４は、パターンデータ用ラッチ信号ＬＡＴＡがパターンデータラッチ６２Ａ
に入力されるとき、パターンデータラッチ６２ＡにラッチされたパターンデータＳＰを読
み込み、図１３に示す真理値表に従って、ステートの値「ｎ」に応じたスイッチデータＰ
ｎ０〜Ｐｎ３を選択する。例えば、パターンデータ選択回路６４は、ステートカウンタ６
３のステートが「０」のとき、ステート「０」に応じたパターンデータＳＰ、すなわち、
図１３に示すスイッチデータＰ００〜Ｐ０３をパターンデータ合成回路６６に出力する。
【００９４】
パターンデータ選択回路６４は、描画モードが「ＤＵＴＹモード」であると判断すると
き、上記の処理を無効にして描画モードが「通常モード」になるまで待機する。
ＤＵＴＹ制御信号生成回路６５は、制御データレジスタ５１Ａから第１〜第３モード選
択データＡＤ１，ＡＤ２，ＡＤ３を読み出し、図１１に示す真理値表に従って、描画モー
ドの種別を判断する。
【００９５】
ＤＵＴＹ制御信号生成回路６５は、描画モードが「ＤＵＴＹモード」であると判断する
とき、ステートカウンタ６３が出力するステートごとにブロック選択信号としての１０種
類の出力タイミング制御信号を生成し、１０種類の出力タイミング制御信号をパターンデ
ータ合成回路６６に出力する。
【００９６】
出力タイミング制御信号とは、予め対応付けられた複数のノズルＮに対しその吐出タイ
ミングを同じタイミングにさせるための信号である。出力タイミング制御信号は、描画モ
ード（「１／１ＤＵＴＹ」、「１／２ＤＵＴＹ」、「１／３ＤＵＴＹ」、「１／４ＤＵＴ
Ｙ」）に応じて生成される１０種類の信号であって、図１２に示すように、１／１制御信
号Ｄ１Ｎ０と、１／２第一制御信号Ｄ２Ｎ０と、１／２第二制御信号Ｄ２Ｎ１と、を含む
。また、出力タイミング信号は、１／３第一制御信号Ｄ３Ｎ０と、１／３第二制御信号Ｄ
３Ｎ１、１／３第三制御信号Ｄ３Ｎ２と、を含む。さらに、出力タイミング制御信号は、
１／４第一制御信号Ｄ４Ｎ０と、１／４第二制御信号Ｄ４Ｎ１と、１／４第三制御信号Ｄ
４Ｎ２と、１／４第四制御信号Ｄ４Ｎ３と、を含む。
【００９７】
各出力タイミング制御信号には、それぞれ制御対象となる複数のノズルＮ（ブロック）
が予め対応付けられている。図１２における“○”印は、出力タイミング制御信号の各々
に予め対応付けられたノズルＮを示す。例えば、１／１制御信号Ｄ１Ｎ０には、予め全て
のノズルＮを対応付けられている。
【００９８】
１／２第一制御信号Ｄ２Ｎ０と１／２第二制御信号Ｄ２Ｎ１とには、それぞれ奇数番目
のノズルＮと偶数番目のノズルＮとが対応付けられている。すなわち、全てのノズルＮは
、それぞれ１／２第一制御信号Ｄ２Ｎ０と１／２第二制御信号Ｄ２Ｎ１のいずれか１方に
対応付けられている。
【００９９】
１／３第一制御信号Ｄ３Ｎ０には、第１２ｎ＋１、４、７、１０番目のノズルＮ（１／
３第１ノズル群）が対応付けられている。また、１／３第二制御信号Ｄ３Ｎ１と、１／３
第三制御信号Ｄ３Ｎ２とには、それぞれ第１２ｎ＋２、５、８、１１番目のノズルＮ（１
／３第２ノズル群）と、第１２ｎ＋３、６、９、１２番目のノズルＮ（１／３第３ノズル
群）とが対応付けられている。すなわち、全てのノズルＮは、それぞれ１／３第一制御信
号Ｄ３Ｎ０と、１／３第二制御信号Ｄ３Ｎ１と、１／３第三制御信号Ｄ３Ｎ２のいずれか
１つに対応付けられている。
【０１００】
１／４第一制御信号Ｄ４Ｎ０と１／４第二制御信号Ｄ４Ｎ１とには、それぞれ第１２ｎ
＋１、５、９番目のノズルＮ（１／４第１ノズル群）と、第１２ｎ＋３、７、１１番目の
ノズルＮ（１／４第２ノズル群）とが対応付けられている。また、１／４第三制御信号Ｄ
４Ｎ２と１／４第四制御信号Ｄ４Ｎ３とには、それぞれ第１２ｎ＋２、６、１０番目のノ
ズルＮ（１／４第３ノズル群）と、第１２ｎ＋４、８、１２番目のノズルＮ（１／４第４
ノズル群）とが対応付けられている。すなわち、全てのノズルＮは、１／４第一制御信号
Ｄ４Ｎ０と、１／４第二制御信号Ｄ４Ｎ１と、１／４第三制御信号Ｄ４Ｎ２と、１／４第
四制御信号Ｄ４Ｎ３のいずれか１つに対応付けられている。
【０１０１】
ＤＵＴＹ制御信号生成回路６５は、描画モードが「１／１ＤＵＴＹ」であると判断する
とき、図１８に示すように、ステートカウンタ６３が出力するステートごとに、１／１制
御信号Ｄ１Ｎ０を“Ｈ”レベル（吐出タイミングであることを示すレベル）にする。この
際、ＤＵＴＹ制御信号生成回路６５は、１／１制御信号Ｄ１Ｎ０を除く他の出力タイミン
グ制御信号の全てを“Ｌ”レベル（非吐出タイミングであることを示すレベル）にする。
【０１０２】
すなわち、ＤＵＴＹ制御信号生成回路６５は、描画モードが「１／１ＤＵＴＹ」である
と判断するとき、ステートごとに各出力タイミング制御信号を出力し、全てのノズルＮの
吐出タイミングを各ステートに同期させる。
【０１０３】
ＤＵＴＹ制御信号生成回路６５は、描画モードが「１／２ＤＵＴＹ」であると判断する
とき、図１８に示すように、１／２第一及び第二制御信号Ｄ２Ｎ０，Ｄ２Ｎ１をステート
ごとに交互に“Ｈ”レベルに切替える。この際、ＤＵＴＹ制御信号生成回路６５は、１／
２第一制御信号Ｄ２Ｎ０と１／２第二制御信号Ｄ２Ｎ１とを除く他の出力タイミング制御
信号の全てを“Ｌ”レベルに維持する。
【０１０４】
すなわち、ＤＵＴＹ制御信号生成回路６５は、描画モードが「１／２ＤＵＴＹ」である
と判断するとき、ステートごとに各出力タイミング制御信号を出力し、偶数番目のノズル
Ｎの吐出タイミングと、奇数番目のノズルＮの吐出タイミングと、をそれぞれ偶数番目の
ステートと、奇数番目のステートとに同期させる。
【０１０５】
ＤＵＴＹ制御信号生成回路６５は、描画モードが「１／３ＤＵＴＹ」であると判断する
とき、図１８に示すように、１／３第一〜第三制御信号Ｄ３Ｎ０，Ｄ３Ｎ１，Ｄ３Ｎ２を
それぞれ連続する３つのステートの中の異なるステートで“Ｈ”レベルに切替える。この
際、ＤＵＴＹ制御信号生成回路６５は、１／３第一〜第三制御信号Ｄ３Ｎ０，Ｄ３Ｎ１，
Ｄ３Ｎ２を除く他の出力タイミング制御信号の全てを“Ｌ”レベルに維持する。
【０１０６】
すなわち、ＤＵＴＹ制御信号生成回路６５は、描画モードが「１／３ＤＵＴＹ」である
と判断するとき、ステートごとに各出力タイミング制御信号を出力し、１／３第一〜第３
ノズル群の吐出タイミングの各々を連続する３つのステートの中の異なるステートに同期
させる。例えば、図１８において、ＤＵＴＹ制御信号生成回路６５は、１／３第１ノズル
群の吐出タイミングを、ステート「０」、「３」、「６」に同期させ、１／３第２ノズル
群の吐出タイミングを、ステート「１」、「４」、「７」に同期させる。また、ＤＵＴＹ
制御信号生成回路６５は、１／３第３ノズル群の吐出タイミングを、ステート「２」、「
５」、「０」に同期させる。
【０１０７】
ＤＵＴＹ制御信号生成回路６５は、描画モードが「１／４ＤＵＴＹ」であると判断する
とき、図１８に示すように、１／４第一〜第四制御信号Ｄ４Ｎ０，Ｄ４Ｎ１，Ｄ４Ｎ２，
Ｄ４Ｎ３をそれぞれ連続する４つのステートの中の異なるステートで“Ｈ”レベルに切替
える。この際、ＤＵＴＹ制御信号生成回路６５は、１／４第一〜第四制御信号Ｄ４Ｎ０，
Ｄ４Ｎ１，Ｄ４Ｎ２，Ｄ４Ｎ３を除く他の出力タイミング制御信号の全てを“Ｌ”レベル
に維持する。
【０１０８】
すなわち、ＤＵＴＹ制御信号生成回路６５は、描画モードが「１／４ＤＵＴＹ」である
と判断するとき、ステートごとに各出力タイミング制御信号を出力し、１／４第１〜第４
ノズル群の吐出タイミングの各々を連続する４つのステートの中の異なるステートに同期
させる。例えば、図１８において、ＤＵＴＹ制御信号生成回路６５は、１／４第１ノズル
群の吐出タイミングを、ステート「０」、「４」、「０」に同期させ、１／４第２ノズル
群の吐出タイミングを、ステート「１」、「５」に同期させる。また、ＤＵＴＹ制御信号
生成回路６５は、１／４第３ノズル群の吐出タイミングを、ステート「２」、「６」に同
期させ、１／４第４ノズル群の吐出タイミングを、ステート「３」、「７」に同期させる
。
【０１０９】
図１６において、パターンデータ合成回路６６には、下位選択データラッチ５２Ｂがラ
ッチした下位選択データＳＩＬと、上位選択データラッチ５２Ｃがラッチした上位選択デ
ータＳＩＨと、が入力される。また、パターンデータ合成回路６６には、パターンデータ
選択回路６４が出力する各スイッチデータＰｎ０〜Ｐｎ３と、ＤＵＴＹ制御信号生成回路
６５が出力する各出力タイミング制御信号と、が入力される。
【０１１０】
パターンデータ合成回路６６は、ステートごとの全てのノズルＮに対して液滴Ｄを吐出
させるか否か（各ビットの値：“０”あるいは“１”）を規定した１８０ビットのデータ
（出力制御信号ＰＩ）を生成する。
【０１１１】
描画モードが「通常モード」であるとき、パターンデータ合成回路６６は、下位選択デ
ータＳＩＬと、上位選択データＳＩＨと、各スイッチデータＰｎ０〜Ｐｎ３と、を用い、
図１３に示す真理値表に従って出力制御信号ＰＩを生成する。
【０１１２】
パターンデータ合成回路６６は、例えば、図１９に示すように、１つのノズルＮに対応
する４個のＡＮＤゲート６６ａ，６６ｂ，６６ｃ，６６ｄと、これらのＡＮＤゲート６６
ａ，６６ｂ，６６ｃ，６６ｄの出力が入力されるＯＲゲート６６ｅと、により構成される
。ＡＮＤゲート６６ａ，６６ｂ，６６ｃ，６６ｄには、それぞれ上位選択データＳＩＨと
、下位選択データＳＩＬと、対応するスイッチデータＰｎ０〜Ｐｎ３と、が入力される。
上位選択データＳＩＨと下位選択データＳＩＬが“００”である場合、ＡＮＤゲート６６
ａのみが有効となり、スイッチデータＰｎ０（“０”あるいは“１”）が、対応するノズ
ルＮの出力制御信号ＰＩとして出力される。また、上位選択データＳＩＨと下位選択デー
タＳＩＬが“０１”、“１０”“００”である場合、それぞれＡＮＤゲート６６ｂ、６６
ｃ、６６ｄのみが有効となり、スイッチデータＰｎ１、Ｐｎ２、Ｐｎ３（“０”あるいは
“１”）が、対応するノズルＮの出力制御信号ＰＩとして出力される。これにより、図１
３に示す真理値表に対応するスイッチデータＰｎｍが出力制御信号ＰＩとして出力される
。
【０１１３】
描画モードが「ＤＵＴＹモード」であるとき、パターンデータ合成回路６６は、下位選
択データＳＩＬと各出力タイミング制御信号とを用い出力制御信号ＰＩを生成する。すな
わち、パターンデータ合成回路６６は、下位選択データＳＩＬにより選択されたノズルＮ
に対し、各出力タイミング制御信号により規定されたタイミング（ステート）で液滴Ｄを
吐出させるための出力制御信号ＰＩを生成する。
【０１１４】
パターンデータ合成回路６６は、例えば、図２０に示すように、１つのノズルＮに対応
する４個のＡＮＤゲート６７ａ，６７ｂ，６７ｃ，６７ｄと、これらのＡＮＤゲート６７
ａ，６７ｂ，６７ｃ，６７ｄの出力が入力されるＯＲゲート６７ｅと、により構成される
。各ＡＮＤゲート６７ａ，６７ｂ，６７ｃ，６７ｄには、それぞれ共通する下位選択デー
タＳＩＬが入力される。また、各ＡＮＤゲート６７ａ，６７ｂ，６７ｃ，６７ｄには、そ
れぞれ該ノズルＮに対応する「１／１ＤＵＴＹ」用、「１／２ＤＵＴＹ」用、「１／３Ｄ
ＵＴＹ」用、「１／４ＤＵＴＹ」用の出力タイミング制御信号が入力される。
【０１１５】
例えば、第１２ｎ＋１番目のノズルＮに対応する各ＡＮＤゲートには、図１７に従って
、それぞれ１／１制御信号Ｄ１Ｎ０、１／２第一制御信号Ｄ２Ｎ０、１／３第一制御信号
Ｄ３Ｎ０、１／４第一制御信号Ｄ４Ｎ０が入力される。また、第１２ｎ＋２番目のノズル
Ｎに対応する各ＡＮＤゲートには、それぞれ１／１制御信号Ｄ１Ｎ０、１／２第二制御信
号Ｄ２Ｎ１、１／３第二制御信号Ｄ３Ｎ１、１／４第二制御信号Ｄ４Ｎ１が入力される。
【０１１６】
描画モードが「１／２ＤＵＴＹ」であるとき、全てのノズルＮに対応するＡＮＤゲート
では、それぞれＡＮＤゲート６７ｂのみが有効となる。
第１２ｎ＋１番目（奇数番目）のノズルＮに対応するＡＮＤゲート６７ｂは、１／２第
一制御信号Ｄ２Ｎ０が“Ｈ”レベル（ビット値が“１”）のとき（ステートが「０」、「
２」、「４」、「６」のとき）有効となる。すなわち、パターンデータ合成回路６６は、
該ノズルＮに対応する下位選択データＳＩＬが“１”であって、かつ、ステートが「０」
、「２」、「４」、「６」のとき、該ノズルＮから液滴Ｄを吐出させるための信号（ビッ
トの値が“１”の信号）を出力制御信号ＰＩとして出力する。
【０１１７】
一方、第１２ｎ＋２番目（偶数番目）のノズルＮに対応する各ＡＮＤゲート６７ｂは、
１／２第二制御信号Ｄ２Ｎ１が“Ｈ”レベル（ビット値が“１”）のとき（ステートが「
１」、「３」、「５」、「７」のとき）有効となる。すなわち、パターンデータ合成回路
６６は、該ノズルＮに対応する下位選択データＳＩＬが”１“であって、かつ、ステート
が「１」、「３」、「５」、「７」のとき、該ノズルＮから液滴Ｄを吐出させるための信
号（ビットの値が”１“の信号）を出力制御信号ＰＩとして出力する。
【０１１８】
これにより、パターンデータ合成回路６６は、描画モードが「１／２ＤＵＴＹ」である
とき、選択された奇数番目のノズルＮから液滴Ｄを吐出させるための出力制御信号ＰＩと
、選択された偶数番目のノズルＮから液滴Ｄを吐出させるための出力制御信号ＰＩと、を
ステートごとに交互に出力する。
【０１１９】
同様に、描画モードが「１／１ＤＵＴＹ」、「１／３ＤＵＴＹ」、「１／４ＤＵＴＹ」
であるとき、全てのノズルＮに対応するＡＮＤゲートでは、それぞれＡＮＤゲート６７ａ
、ＡＮＤゲート６７ｃ，ＡＮＤゲート６７ｄのみが有効となる。
【０１２０】
これにより、パターンデータ合成回路６６は、描画モードが「１／１ＤＵＴＹ」である
とき、選択された全てのノズルＮから液滴Ｄを吐出させるための出力制御信号ＰＩをステ
ートごとに出力する。
【０１２１】
また、パターンデータ合成回路６６は、描画モードが「１／３ＤＵＴＹ」であるとき、
連続する３つのステートで、それぞれ１／３第１ノズル群、１／３第２ノズル群、１／３
第３ノズル群から液滴Ｄを吐出させるための出力制御信号ＰＩを出力する。
【０１２２】
また、パターンデータ合成回路６６は、描画モードが「１／４ＤＵＴＹ」であるとき、
連続する４つのステートで、それぞれ１／４第１ノズル群、１／４第２ノズル群、１／４
第３ノズル群、１／４第４ノズル群から液滴Ｄを吐出させるための出力制御信号ＰＩを出
力する。
【０１２３】
図１４において、出力合成回路７０は、第１コモン出力合成回路７０Ａと、第２コモン
出力合成回路７０Ｂと、第３コモン出力合成回路７０Ｃと、第４コモン出力合成回路７０
Ｄと、を有する。各出力合成回路７０Ａ，７０Ｂ，７０Ｃ，７０Ｄには、それぞれ出力制
御信号生成回路６０から１８０ビットの出力制御信号ＰＩが共通に入力される。また、各
出力合成回路７０Ａ，７０Ｂ，７０Ｃ，７０Ｄには、それぞれコモン選択制御信号生成回
路５０から第１コモン選択制御信号ＰＸＡ、第２コモン選択制御信号ＰＸＢ、第３コモン
選択制御信号ＰＸＣ、第４コモン選択制御信号ＰＸＤが入力される。
【０１２４】
第１〜第４コモン出力合成回路７０Ａ，７０Ｂ，７０Ｃ，７０Ｄは、それぞれ１つのノ
ズルＮに対応するＡＮＤゲートにより構成される。第１コモン出力合成回路７０Ａの各Ａ
ＮＤゲートには、それぞれ対応する出力制御信号ＰＩと、対応する第１コモン選択制御信
号ＰＸＡと、が入力される。第１コモン出力合成回路７０Ａの各ＡＮＤゲートは、それぞ
れ対応する圧電素子ＰＺに第１駆動波形信号ＣＯＭＡを供給するか否か（供給・非供給）
を規定した信号（第１選択コモン出力制御信号ＣＰＡ）を出力する。第２コモン出力合成
回路７０Ｂの各ＡＮＤゲートには、それぞれ対応する出力制御信号ＰＩと、対応する第２
コモン選択制御信号ＰＸＢと、が入力される。第２コモン出力合成回路７０Ｂの各ＡＮＤ
ゲートは、それぞれ対応する圧電素子ＰＺに対し第２駆動波形信号ＣＯＭＢの供給・非供
給を規定した信号（第２選択コモン出力制御信号ＣＰＢ）を出力する。第３コモン出力合
成回路７０Ｃの各ＡＮＤゲートには、それぞれ対応する出力制御信号ＰＩと、対応する第
３コモン選択制御信号ＰＸＣと、が入力される。第３コモン出力合成回路７０Ｃの各ＡＮ
Ｄゲートは、それぞれ対応する圧電素子ＰＺに対し第３駆動波形信号ＣＯＭＣの供給・非
供給を規定した信号（第３選択コモン出力制御信号ＣＰＣ）を出力する。また、第４コモ
ン出力合成回路７０Ｄの各ＡＮＤゲートには、それぞれ対応する出力制御信号ＰＩと、対
応する第４コモン選択制御信号ＰＸＤと、が入力される。第４コモン出力合成回路７０Ｄ
の各ＡＮＤゲートは、対応する圧電素子ＰＺに対し第４駆動波形信号ＣＯＭＤの供給・非
供給を規定した信号（第３選択コモン出力制御信号ＣＰＣ）を出力する。
【０１２５】
第１コモン出力合成回路７０Ａは、例えば、出力制御信号ＰＩが“１”であり、かつ、
第１コモン選択制御信号ＰＸＡが“１”の場合、対応する圧電素子ＰＺに第１駆動波形信
号ＣＯＭＡを供給するための第１選択コモン出力制御信号ＣＰＡ（ビット値が“１”の信
号）を出力する。逆に、第１コモン出力合成回路７０Ａは、出力制御信号ＰＩが“０”、
あるいは、第１コモン選択制御信号ＰＸＡが“０”の場合、該圧電素子ＰＺに対し第１駆
動波形信号ＣＯＭＡを供給しないための第１選択コモン出力制御信号ＣＰＡ（ビット値が
“０”の信号）を出力する。
【０１２６】
これにより、１８０個の各ノズルＮ（圧電素子ＰＺ）は、それぞれ出力制御信号ＰＩに
よって液滴Ｄの吐出・非吐出が決定され、第１〜第４コモン選択制御信号ＰＸＡ，ＰＸＢ
，ＰＸＣ，ＰＸＤによって各駆動波形信号ＣＯＭの供給・非供給が決定される。
【０１２７】
レベルシフタ７１は、第１〜第４駆動波形信号ＣＯＭＡ，ＣＯＭＢ，ＣＯＭＣ，ＣＯＭ
Ｄ用の４系統のレベルシフタ（第１コモン用レベルシフタ７１Ａ，第２コモン用レベルシ
フタ７１Ｂ，第３コモン用レベルシフタ７１Ｃ，第４コモン用レベルシフタ７１Ｄ）を有
する。第１〜第４コモン用レベルシフタ７１Ａ，７１Ｂ，７１Ｃ，７１Ｄには、それぞれ
対応する出力合成回路７０から第１〜第４選択コモン出力制御信号ＣＰＡ，ＣＰＢ，ＣＰ
Ｃ，ＣＰＤが入力される。第１〜第４コモン用レベルシフタ７１Ａ，７１Ｂ，７１Ｃ，７
１Ｄは、それぞれ第１〜第４選択コモン出力制御信号ＣＰＡ，ＣＰＢ，ＣＰＣ，ＣＰＤを
アナログスイッチの駆動電圧レベルに昇圧し、１８０個の圧電素子ＰＺに対応する開閉信
号を出力する。
【０１２８】
スイッチ回路７２は、第１〜第４駆動波形信号ＣＯＭＡ，ＣＯＭＢ，ＣＯＭＣ，ＣＯＭ
Ｄ用の４系統のスイッチ回路（第１コモン用スイッチ回路７２Ａ，第２コモン用スイッチ
回路７２Ｂ，第３コモン用スイッチ回路７２Ｃ，第４コモン用スイッチ回路７２Ｄ）を有
する。第１〜第４コモン用スイッチ回路７２Ａ，７２Ｂ，７２Ｃ，７２Ｄは、それぞれ圧
電素子ＰＺに対応する１８０個のアナログスイッチを有する。第１〜第４コモン用スイッ
チ回路７２Ａ，７２Ｂ，７２Ｃ，７２Ｄには、それぞれ対応するレベルシフタ７１から開
閉信号が入力される。４系統の各アナログスイッチの入力端には、それぞれ対応する駆動
波形信号ＣＯＭが入力され、４系統の各アナログスイッチの出力端には、それぞれ対応す
る圧電素子ＰＺが共通接続されている。各アナログスイッチは、それぞれ対応するレベル
シフタ７１から開閉信号が入力され、該開閉信号が“Ｈ”レベルのとき、対応する圧電素
子ＰＺに対応する駆動波形信号ＣＯＭを出力する。
【０１２９】
これにより、１８０個の各ノズルＮ（圧電素子ＰＺ）は、それぞれ出力制御信号ＰＩに
より液滴Ｄの吐出動作が選択されるとき、第１〜第４選択コモン出力制御信号ＣＰＡ，Ｃ
ＰＢ，ＣＰＣ，ＣＰＤによりランクに応じた第１〜第４駆動波形信号ＣＯＭＡ，ＣＯＭＢ
，ＣＯＭＣ，ＣＯＭＤのいずれか１つが供給される。
【０１３０】
次に、液滴吐出装置１０に搭載した液滴吐出ヘッド１８の駆動方法について以下に説明
する。図２１は、各圧電素子ＰＺに供給される駆動波形信号ＣＯＭを説明するためのタイ
ミングチャートである。
【０１３１】
まず、図３に示すように、カラーフィルタ基板６が、その吐出面６ａを上側にして基板
ステージ１３に載置される。このとき、基板ステージ１３は、カラーフィルタ基板６をキ
ャリッジ１７の反Ｙ矢印方向に配置する。この状態から、入出力装置４０は、モードデー
タＩｍと、描画データＩｐと、基準駆動電圧データＩｖと、ヘッドデータＩｈと、を制御
装置３０に入力する。この際、モードデータＩｍは、「１／２ＤＵＴＹ」を選択するため
のデータである。基準駆動電圧データＩｖ及びヘッドデータＩｈは、それぞれ液滴重量装
置２３によって計測した各液滴Ｄの実重量Ｉｗに基づいて生成されたものである。
【０１３２】
なお、ヘッドデータＩｈは、最もＸ矢印方向に位置する第１ノズルＮ１及び第２ノズル
Ｎ２を「１」のランクに分類し、第３ノズルＮ３及び第４ノズルＮ４を「２」のランクに
分類し、第５ノズルＮ５及び第６ノズルＮ６を「３」のランクに分類する。また、第１〜
第６ノズルＮ１〜Ｎ６に対応する圧電素子ＰＺを、それぞれ第１圧電素子ＰＺ１、第２圧
電素子ＰＺ２、第３圧電素子ＰＺ３、第４圧電素子ＰＺ４、第５圧電素子ＰＺ５、第６圧
電素子ＰＺ６という。
【０１３３】
制御装置３０は、モータ駆動回路３８を介してキャリッジ１７を走査し、カラーフィル
タ基板６がＹ矢印方向に走査されるときに各吐出ヘッド１８がカラーフィルタ基板６上を
通過するようにキャリッジ１７を配置する。制御装置３０は、キャリッジ１７を配置する
とモータ駆動回路３８を介して基板ステージ１３の走査を開始する。
【０１３４】
制御装置３０は、入出力装置４０から入力されたヘッドデータＩｈをコモン選択データ
に展開する。制御装置３０は、基板ステージ１３の１スキャン分に相当するコモン選択デ
ータを展開すると、図２１に示すように、コモン選択データを用いてシリアルコモン選択
データＳＩＢを生成し、該シリアルコモン選択データＳＩＢを転送クロックＳＣＬＫに同
期させてヘッド駆動回路４１にシリアル転送する。
【０１３５】
制御装置３０は、コモン選択データ用ラッチ信号ＬＡＴＢをヘッド駆動回路４１に出力
し、ヘッド駆動回路４１にシリアルコモン選択データＳＩＢをラッチさせる。ヘッド駆動
回路４１は、シリアルコモン選択データＳＩＢの制御データＣＲに含まれる第１〜第３モ
ード選択データＡＤ１，ＡＤ２，ＡＤ３を読み出し、図１１に示す真理値表に従って、描
画モードを判断する。
【０１３６】
次いで、制御装置３０は、入出力装置４０から入力された描画データＩｐをドットパタ
ーンデータに展開する。制御装置３０は、基板ステージ１３の１スキャン分に相当するド
ットパターンデータを展開すると、ドットパターンデータを用いてＤＵＴＹモードに対応
するシリアルパターンデータＳＩＡを生成し、該シリアルパターンデータＳＩＡを転送ク
ロックＳＣＬＫに同期させてヘッド駆動回路４１にシリアル転送する。
【０１３７】
制御装置３０は、基板ステージ１３が所定の描画開始位置に到達するとき、図２１に示
すように、パターンデータ用ラッチ信号ＬＡＴＡをヘッド駆動回路４１に出力し、ヘッド
駆動回路４１にシリアルパターンデータＳＩＡ（上位選択データＳＩＨ、下位選択データ
ＳＩＬ、及びパターンデータＳＰ）をラッチさせる。
【０１３８】
制御装置３０は、パターンデータ用ラッチ信号ＬＡＴＡを出力してシリアルパターンデ
ータＳＩＡをラッチさせると、ステート切替え信号ＣＨＡをヘッド駆動回路４１に順次出
力してステートを「０」から「１」、「２」、「３」、「４」、・・・の順に切替えさせ
る。また、制御装置３０は、基準駆動電圧データＩｖを参照して駆動波形生成回路３６に
４種類の駆動波形信号ＣＯＭ（第１駆動波形信号ＣＯＭＡ，第２駆動波形信号ＣＯＭＢ，
第３駆動波形信号ＣＯＭＣ，第４駆動波形信号ＣＯＭＤ）を生成させる。制御装置３０は
、第１〜第４駆動波形信号ＣＯＭＡ，ＣＯＭＢ，ＣＯＭＣ，ＣＯＭＤをそれぞれパターン
データ用ラッチ信号ＬＡＴＡとステート切替え信号ＣＨＡとに同期させヘッド駆動回路４
１に対しステートごとに出力する。
【０１３９】
ヘッド駆動回路４１は、シリアルパターンデータＳＩＡをラッチさせると、第１〜第３
モード選択データＡＤ１，ＡＤ２，ＡＤ３に基づいて、上位選択データＳＩＨ及びパター
ンデータＳＰを無効にする。また、ヘッド駆動回路４１は、第１〜第３モード選択データ
ＡＤ１，ＡＤ２，ＡＤ３に基づいて、「１／２ＤＵＴＹ」に対応する各出力タイミング制
御信号を生成する。
【０１４０】
すなわち、ヘッド駆動回路４１は、下位選択データＳＩＬに基づいて選択されるノズル
Ｎのうち奇数番目のノズルＮから液滴Ｄを吐出させるための出力制御信号ＰＩと、偶数番
目のノズルＮから液滴Ｄを吐出させるための出力制御信号ＰＩと、をステートごとに交互
に生成する。そして、ヘッド駆動回路４１は、奇数番目のノズルＮによる吐出動作と、偶
数番目のノズルＮによる吐出動作と、をステートごとに規定する。
【０１４１】
例えば、図２１に示すように、奇数番目のノズルＮに対応する第１圧電素子ＰＺ１、第
３圧電素子ＰＺ３、第５圧電素子ＰＺ５には、それぞれ「０」、「２」、「４」、「６」
の偶数ステートで液滴Ｄの吐出動作が規定される。また、偶数番目のノズルＮに対応する
第２圧電素子ＰＺ２、第４圧電素子ＰＺ４、第６圧電素子ＰＺ６には、「１」、「３」、
「５」、「７」の奇数ステートで液滴Ｄの吐出動作が規定される。
【０１４２】
また、ヘッド駆動回路４１は、シリアルコモン選択データＳＩＢをラッチすると、上位
選択データＳＸＨ及び下位選択データＳＸＬと、図１０に示す真理値表に従って、１８０
個の各ノズルＮ（圧電素子ＰＺ）にそれぞれ駆動波形信号ＣＯＭの種別を規定する。
【０１４３】
例えば、第１及び第２圧電素子ＰＺ１，ＰＺ２は、対応する上位選択データＳＸＨ及び
下位選択データＳＸＬが“００”であり、図１０に示す真理値表に従って、第１駆動波形
信号ＣＯＭＡが規定される。すなわち、「１」のランクに分類された第１及び第２圧電素
子ＰＺ１，ＰＺ２には、該ランクに対応する第１駆動波形信号ＣＯＭＡが供給される。
【０１４４】
また、第３及び第４圧電素子ＰＺ３，ＰＺ４は、それぞれ対応する上位選択データＳＸ
Ｈ及び下位選択データＳＸＬが“０１”であり、図１０に示す真理値表に従って、第２駆
動波形信号ＣＯＭＢが規定される。すなわち、「２」のランクに分類された第３及び第４
圧電素子ＰＺ３，ＰＺ４には、該ランクに対応する第２駆動波形信号ＣＯＭＢが供給され
る。
【０１４５】
また、第５及び第６圧電素子ＰＺ５，ＰＺ６は、それぞれ対応する上位選択データＳＸ
Ｈ及び下位選択データＳＸＬが“１１”であり、図１０に示す真理値表に従って、第３駆
動波形信号ＣＯＭＣが規定される。すなわち、「３」のランクに分類された第５及び第６
圧電素子ＰＺ５，ＰＺ６には、該ランクに対応する第２駆動波形信号ＣＯＭＢが供給され
る。
【０１４６】
これにより、液滴Ｄを吐出する全てのノズルＮは、それぞれランクに応じた駆動波形信
号ＣＯＭを受け、略基準重量の液滴Ｄを吐出させる。しかも、液滴Ｄを吐出する全てのノ
ズルＮは、「１／２ＤＵＴＹ」の描画モードにより、それぞれ近接するノズルＮの同時吐
出を回避できる。したがって、液滴Ｄを吐出する全てのノズルＮは、より高い精度の下で
基準重量の液滴Ｄを吐出させる。
【０１４７】
次に、上記のように構成した本実施形態の効果を以下に記載する。
（１）上記実施形態によれば、ヘッド駆動回路４１は、ラッチ６２を介して下位選択デ
ータＳＩＬをラッチし、液滴Ｄを吐出するためのノズルＮに関するデータを記憶する。ヘ
ッド駆動回路４１は、ステートカウンタ６３及びＤＵＴＹ制御信号生成回路６５を介して
、モード選択データＡＤ１〜ＡＤ３に基づく描画モードを判断し、描画モードが「ＤＵＴ
Ｙモード」であるとき、「ＤＵＴＹモード」に対応するノズル群のいずれか１つを選択す
るための出力タイミング制御信号をステートごとに生成する。そして、ヘッド駆動回路４
１は、パターンデータ合成回路６６を介し、液滴Ｄを吐出するノズルＮの各々に対し、対
応するノズル群に規定されたステートで液滴Ｄを吐出させるための出力制御信号ＰＩを生
成する。
【０１４８】
したがって、各ノズル群が、それぞれ異なるステートで液滴Ｄを吐出する。したがって
、ノズル群の数量分だけ、吐出タイミングの重複を低減させることができ、同時吐出に起
因した液滴重量のバラツキを抑制させることができる。この結果、ノズルＮごとの液滴重
量を均一にさせることができ、ひいては、液滴Ｄを吐出して形成するカラーフィルタＣＦ
の膜厚均一性を向上させることができる。
【０１４９】
（２）上記実施形態によれば、ステートカウンタ６３は、液滴Ｄの吐出タイミングで生
成されるステート切替え信号ＣＨＡの入力回数をカウントしステートを切替える。ＤＵＴ
Ｙ制御信号生成回路６５は、複数のノズル群の各々に予めステートの値を対応付ける。そ
して、ＤＵＴＹ制御信号生成回路６５は、ステートカウンタ６３の出力値に応じ、その時
々のステートに対応するノズル群を選択するための出力タイミング制御信号を生成する。
【０１５０】
したがって、液滴Ｄを吐出するためのノズル群が、ステートに応じて選択される。この
結果、複数のノズル群による同時吐出を確実に回避させることができる。ひいては、液滴
Ｄを吐出して形成するカラーフィルタＣＦの膜厚均一性を、確実に向上させることができ
る。
【０１５１】
（３）上記実施形態によれば、シフトレジスタ５１は、描画モードを判断するためのモ
ード選択データＡＤ１〜ＡＤ３を格納する。ＤＵＴＹ制御信号生成回路６５は、モード選
択データＡＤ１〜ＡＤ３により指定される「ＤＵＴＹモード」の各ノズル群に予めステー
トの値を対応付ける。そして、ＤＵＴＹ制御信号生成回路６５は、指定された「ＤＵＴＹ
モード」の各ノズル群のうちからその時々のステートに対応付けられたノズル群を選択す
るための出力タイミング制御信号を生成する。
【０１５２】
したがって、ノズル群の数量が、モード選択データＡＤ１〜ＡＤ３により選択可能とな
る。そのため、ノズル群の選択範囲を拡張させることができ、ひいては、描画対象の範囲
を拡張させることができる。
【０１５３】
尚、上記実施形態は以下のように変更してもよい。
・上記実施形態では、モード選択データＡＤ１〜ＡＤ３により「１／２ＤＵＴＹ」を指
定する構成にした。これに限らず、例えば、モード選択データＡＤ１〜ＡＤ３により「１
／３ＤＵＴＹ」や「１／４ＤＵＴＹ」を指定する構成にしてもよい。
【０１５４】
そして、図２２に示すように、１／３第１ノズル群（第１及び第４圧電素子ＰＺ１，Ｐ
Ｚ４）には、「０」、「３」、「６」、・・・、の各ステートで液滴Ｄの吐出動作を規定
する。また、１／３第２ノズル群（第２及び第５圧電素子ＰＺ２，ＰＺ５）には、「１」
、「４」、「７」、・・・、の各ステートで液滴Ｄの吐出動作を規定する。１／３第３ノ
ズル群（第３及び第６圧電素子ＰＺ３，ＰＺ６）には、「２」、「５」、「０」、・・・
、の各ステートで液滴Ｄの吐出動作を規定する構成であってもよい。
【０１５５】
あるいは、図２３に示すように、１／４第１ノズル群（第１及び第５圧電素子ＰＺ１，
ＰＺ５）には、「０」、「４」、「０」、・・・、の各ステートで液滴Ｄの吐出動作を規
定する。また、１／４第２ノズル群（第２及び第６圧電素子ＰＺ２，ＰＺ６）には、「１
」、「５」、「１」、・・・、の各ステートで液滴Ｄの吐出動作を規定する。また、１／
４第３ノズル群（第３圧電素子ＰＺ３）には、「２」、「６」、「２」、・・・、の各ス
テートで液滴Ｄの吐出動作を規定する。また、１／４第４ノズル群（第４圧電素子ＰＺ４
）には、「３」、「７」、「３」、・・・、の各ステートで液滴Ｄの吐出動作を規定する
構成であってもよい。
【０１５６】
・上記実施形態では、描画モードを、「通常モード」、「１／１ＤＵＴＹ」、「１／２
ＤＵＴＹ」、「１／３ＤＵＴＹ」、「１／４ＤＵＴＹ」に具体化した。これに限らず、例
えば、「１／５ＤＵＴＹ」や「１／６ＤＵＴＹ」に具体化してもよく、本発明の描画モー
ドは、ノズル群の分割数を限定するものではない。
【０１５７】
・上記実施形態では、制御装置３０が、シリアルコモン選択データＳＩＢのみを先行し
て転送し、下位選択データＳＩＬを格納させる構成にした。そして、ヘッド駆動回路４１
がシリアルパターンデータＳＩＡをラッチして出力制御信号ＰＩを生成するたびに、先行
して格納した下位選択データＳＩＬを利用し、第１〜第４コモン選択制御信号ＰＸＡ，Ｐ
ＸＢ，ＰＸＣ，ＰＸＤを生成する構成にした。
【０１５８】
これに限らず、例えば、制御装置３０が、シリアルパターンデータＳＩＡを転送するた
びに、シリアルコモン選択データＳＩＢを転送し、パターンデータ用ラッチ信号ＬＡＴＡ
を出力するたびに、コモン選択データ用ラッチ信号ＬＡＴＢを出力する構成にしてもよい
。そして、出力制御信号ＰＩを生成するたびに、駆動波形信号ＣＯＭの選択・非選択を規
定するための第１〜第４コモン選択制御信号ＰＸＡ，ＰＸＢ，ＰＸＣ，ＰＸＤを生成させ
る構成にしてもよい。
【０１５９】
これによれば、液滴Ｄの吐出動作を設定するたびに、全てのノズルＮの各々に対しラン
クに対応する駆動波形信号ＣＯＭを対応付けられる。したがって、ノズルＮごとの吐出重
量のバラツキを、さらに低減させることができる。
【０１６０】
・上記実施形態では、制御部３２が描画データＩｐをドットパターンデータに展開処理
する構成にした。これに限らず、例えば、入出力装置４０が描画データＩｐをドットパタ
ーンデータに展開し、入出力装置４０がドットパターンデータを制御装置３０に入力する
構成にしてもよい。
【０１６１】
・上記実施形態では、アクチュエータを圧電素子ＰＺに具体化した。これに限らず、例
えば、アクチュエータを抵抗加熱素子に具体化してもよく、所定の駆動波形信号ＣＯＭを
受けて液滴Ｄを吐出させるものであればよい。
【０１６２】
・上記実施形態では、各吐出ヘッド１８が１８０個のノズルＮを１列だけ備える構成に
した。これに限らず、例えば、各吐出ヘッド１８が１８０個のノズルＮを２列以上備える
構成にしてもよく、さらには、列内のノズル数を１８０個よりも多い数量で具体化しても
よい。
【０１６３】
・上記実施形態では、電気光学装置を液晶表示装置１に具体化し、液滴Ｄによってカラ
ーフィルタＣＦを製造する構成にした。これに限らず、例えば、液滴Ｄによって液晶表示
装置１の配向膜を製造する構成にしてもよい。あるいは、電気光学装置をエレクトロルミ
ネッセンス表示装置として具体化し、発光素子形成材料を含む液滴Ｄを吐出して発光素子
を製造する構成にしてもよい。
【図面の簡単な説明】
【０１６４】
【図１】液晶表示装置を説明する斜視図。
【図２】同じく、カラーフィルタ基板を説明する斜視図。
【図３】同じく、液滴吐出装置を説明する斜視図。
【図４】同じく、液滴吐出ヘッドを説明する斜視図。
【図５】同じく、液滴吐出ヘッドを説明する要部断面図。
【図６】同じく、液滴吐出装置の電気的構成を説明する電気ブロック回路図。
【図７】同じく、ノズルのランクを説明する図。
【図８】同じく、駆動波形信号を説明する図。
【図９】同じく、シリアルコモン選択データを説明する図。
【図１０】同じく、パターンデータを説明する図。
【図１１】同じく、描画モードを説明する図。
【図１２】同じく、シリアルパターンデータを説明する図。
【図１３】同じく、パターンデータを説明するタイミングチャート。
【図１４】同じく、ヘッド駆動回路を説明する電気ブロック回路図。
【図１５】同じく、コモン選択制御信号生成回路を説明する回路図。
【図１６】同じく、出力制御信号生成回路を説明する電気ブロック回路図。
【図１７】同じく、出力タイミング制御信号を説明する図。
【図１８】同じく、出力タイミング制御信号を説明するタイミングチャート。
【図１９】同じく、パターンデータ合成回路を説明する回路図。
【図２０】同じく、パターンデータ合成回路を説明する回路図。
【図２１】同じく、ヘッド駆動回路の駆動タイミングを説明するタイミングチャート。
【図２２】変更例のヘッド駆動回路の駆動タイミングを説明するタイミングチャート。
【図２３】変更例のヘッド駆動回路の駆動タイミングを説明するタイミングチャート。
【符号の説明】
【０１６５】
ＡＤ１，ＡＤ２，ＡＤ３…モード選択データ、ＣＦ…薄膜としてのカラーフィルタ、Ｃ
ＯＭ，ＣＯＭＡ，ＣＯＭＢ，ＣＯＭＣ，ＣＯＭＤ…駆動波形信号、Ｄ…液滴、Ｎ…ノズル
、１０…液滴吐出装置、３３…記憶手段を構成するＲＡＭ、５０…出力手段を構成するコ
モン選択制御信号生成回路、５２，６２…記憶手段を構成するラッチ、６３…選択信号生
成手段を構成するステートカウンタ、６５…選択信号生成手段を構成するＤＵＴＹ制御信
号生成回路、６６…出力手段を構成するパターンデータ合成回路。
【図１】
2008136928.tif 000003
【図２】
2008136928.tif 000004
【図３】
2008136928.tif 000005
【図４】
2008136928.tif 000006
【図５】
2008136928.tif 000007
【図６】
2008136928.tif 000008
【図７】
2008136928.tif 000009
【図８】
2008136928.tif 000010
【図９】
2008136928.tif 000011
【図１０】
2008136928.tif 000012
【図１１】
2008136928.tif 000013
【図１２】
2008136928.tif 000014
【図１３】
2008136928.tif 000015
【図１４】
2008136928.tif 000016
【図１５】
2008136928.tif 000017
【図１６】
2008136928.tif 000018
【図１７】
2008136928.tif 000019
【図１８】
2008136928.tif 000020
【図１９】
2008136928.tif 000021
【図２０】
2008136928.tif 000022
【図２１】
2008136928.tif 000023
【図２２】
2008136928.tif 000024
【図２３】
2008136928.tif 000025